(57)【要約】      （修正有）【課題】枠組足場への取付けが簡便で、しかも、従来の枠組足場の部材を変更する必要のない安価で実用的な墜落防止装置を提供する。【解決手段】建枠１の縦部材１ａそれぞれに突設されている交さ筋かい３の連結用の下固定ピン２に取付金具１０を介して足場板から所定の高さの位置に棒状部材８を水平に取付けたものである。取付金具１０は、下固定ピン２が嵌合する嵌合穴１２を有する板部材に、外れ止め手段を備えた取付ピン１１が固設されている。そして、棒状部材８は両端部が平らに潰されて取付ピン１１に嵌合する連結穴８ａが形成されている。また、外れ止め手段は、円筒状のピン本体に、バネで付勢する係止材を設けて構成する。【選択図】図２
0003150973.tif 000002
【実用新案登録請求の範囲】
【請求項１】
隣接する建枠の縦部材の上部と下部に突設した上固定ピンと下固定ピンに交さ筋かいを連結するとともに建枠の横部材間に足場板を水平に掛け渡して多段に組み上げた枠組足場の墜落防止装置であって、該下固定ピンが嵌合する嵌合穴を有する板部材に、外れ止め手段を備えた取付ピンを固設してなる取付金具と、両端に該取付ピンに嵌合する連結穴を有する棒状部材とからなり、該棒状部材は、隣接する該下固定ピンに取付けられた該取付金具の取付ピンに両端を連結したことを特徴とする枠組足場の墜落防止装置。
【請求項２】
前記取付金具の板部材には、建枠の縦部材に係合する係止部を備えたことを特徴とする請求項１記載の枠組足場の墜落防止装置。
【請求項３】
前記取付ピンの外れ止め手段は、取付ピンを筒状としてバネで付勢されて外へ突出した係止材が内装されたことを特徴とする請求項１または請求項２記載の枠組足場の墜落防止装置。
【請求項４】
前記取付ピンの外れ止め手段は、取付ピンの先端側が二叉に形成され、ここに係止材が回動可能にピン連結されたことを特徴とする請求項１または請求項２記載の枠組足場の墜落防止装置。
【考案の詳細な説明】
【技術分野】
【０００１】
本考案は、ビルの建設工事や外壁塗装等の施工の際に、構築物の回りに組立て設置される枠組足場の墜落防止装置に関するものである。
【０００２】
枠組足場は、例えば、図８に示すように、縦部材１ａと横部材１ｂを固設した門形状の建枠１を所定間隔に配置し、縦部材の上部と下部に突設した上固定ピン４と下固定ピン２に交さ筋かい３を連結するとともに、横部材１ｂ間に足場板５を掛け渡し、多段に組み上げられている。
【背景技術】
【０００３】
この枠組足場は、交さ筋かい３があることによって作業者の安全がある程度確保されるが、交さ筋かい３には、三角状の結構大きな空間が形成されており、ここから墜落する危険性があり、問題となっている。
そこで、例えば、三角状の空間部に補助手摺り６を設置した墜落防止手段が提案されている（特許文献１参照）。
【０００４】
特許文献１の補助手摺りは、両端に交さ筋かいに係止するためのフックを備えた角筒の棒状部材であり、交さ筋かいに簡単容易に装着できるようにしたものである。
【先行技術文献】
【特許文献】
【０００５】
【特許文献１】特許３００４９４４号公報
【考案の概要】
【考案が解決しようとする課題】
【０００６】
特許文献１の補助手摺りは、建枠や交さ筋かいなど既存の枠組足場の部材の変更を伴わず、装着の作業性もよいという優れた効果を有している。しかしながら、交さ筋かいに係止するためのフックの製作および棒状部材への固設が煩雑で、費用が嵩むので、補助手摺りそのものが高価なものになるという欠点がある。
【０００７】
そこで、本考案は、枠組足場への取付けが簡便で、しかも、従来の枠組足場の部材を変更する必要のない安価で実用的な墜落防止装置を提供することを目的としている。
【課題を解決するための手段】
【０００８】
上記の課題を解決するため、本考案の枠組足場の墜落防止装置は、次のように構成した。すなわち、隣接する建枠の縦部材の上部と下部に突設した上固定ピンと下固定ピンに交さ筋かいを連結するとともに建枠の横部材間に足場板を水平に掛け渡して多段に組み上げた枠組足場の墜落防止装置であって、該下固定ピンが嵌合する嵌合穴を有する板部材に、外れ止め手段を備えた取付ピンを固設してなる取付金具と、両端に該取付ピンに嵌合する連結穴を有する棒状部材とからなり、該棒状部材は、隣接する該下固定ピンに取付けられた該取付金具の取付ピンに両端を連結したことを特徴としている。
【０００９】
本考案の枠組足場の墜落防止装置は、交さ筋かいに取付ける棒状の手摺りではなく、建枠の縦部材間を水平に一定の高さ位置に棒状部材を配置したものである。
ところで、建枠の縦部材の下部側に突設されている交さ筋かいを連結するための下固定ピン同士に直接棒状の部材を連結すれば、極めて簡便に目的を達成することができる。
しかしながら、下固定ピンには、左右の交さ筋かいの端部が嵌合しており、これに棒状部材を係止させるには、固定ピンの長さを長くするか、交さ筋かいの端部の厚みを薄いものにしなければならない。
枠組足場は、施工のたびに組立て、終わると分解して次に使用するものであり、部材の数も多いので、部材の変更には費用が嵩み実施が困難である。
【００１０】
本考案は、建枠の縦部材の下固定ピンに取付金具を取付け、取付金具に棒状部材を取付けるようにしたものである。
取付金具における取付ピンは、棒状部材が交さ筋かいと干渉しない程度に離れた位置に設ければよく、下固定ピンに嵌合する穴から約４５ｍｍ以上離れた位置にすればよい。
取付ピンの外れ止め手段は、取付ピンの先端部にピンを挿通するなど、棒状部材が外れるのを防止できるものであれば、どんな構造のものでもよいが、取付ピンを筒状としてバネで付勢されて外へ突出した係止材が内装された（請求項３）もの、または、取付ピンの先端側が二叉に形成され、ここに係止材が回動可能にピン連結された（請求項４）ものとするのが望ましい。
【００１１】
なお、建枠の上固定ピンおよび下固定ピンには、通常、上記のような、交さ筋かいの外れ止め手段が設けられており、これと同じものとすれば、棒状部材の取付け取り外しを交さ筋かいの場合と同じ操作で行えるので、作業性がよい。
取付金具の板部材は、矩形の平板でもよいが、建枠の縦部材に係合する係止部を備えたもの（請求項２）にするのが望ましい。
【考案の効果】
【００１２】
本考案の枠組足場の墜落防止装置は、上記のように、下固定ピンが嵌合する嵌合穴を有する板部材に、外れ止め手段を備えた取付ピンを固設してなる取付金具と、両端に該取付ピンに嵌合する連結穴を有する棒状部材とからなり、該棒状部材は、隣接する該下固定ピンに取付けられた該取付金具の取付ピンに両端を連結したので、枠組足場への取付けが簡便で、安価なものとすることができる。しかも、従来の枠組足場の部材を変更する必要もなく極めて実用的なものといえる。
【００１３】
また、取付金具の板部材に、建枠の縦部材に係合する係止部を備えれば（請求項２）、棒状部材の取付け取り外しの際に、揺動することがなく作業性が極めてよい。
【００１４】
また、取付ピンの外れ止め手段は、取付ピンを筒状としてバネで付勢されて外へ突出した係止材が内装された（請求項３）もの、または、取付ピンの先端側が二叉に形成され、ここに係止材が回動可能にピン連結された（請求項４）ものとすれば、取付け時は、取付金具に触れずに、棒状部材を持って嵌着するだけで装着でき、取り外しも簡便である。
【図面の簡単な説明】
【００１５】
【図１】本考案の枠組足場の墜落防止装置の実施の形態を示す斜視図である。
【図２】同、装置を分解した状態を示す斜視図である。
【図３】同、取付金具１０の斜視図である。
【図４】同、取付金具１０の取付ピン１１を示す図で、（ａ）は正面図、（ｂ）は断面図である。
【図５】同、請求項２に記載の取付金具の実施の形態を示す斜視図である。
【図６】同、請求項４に記載の取付金具の実施の形態を示す斜視図である。
【図７】同、外れ止め手段の作動の説明図で、（ａ）棒状部材の取付け前の状態図、（ｂ）は、棒状部材を取付けるときの状態図、（ｃ）は、棒状部材装着後の状態図である。
【図８】従来の枠組足場の墜落防止装置を示す説明図である。
【考案を実施するための形態】
【００１６】
本考案の枠組足場の墜落防止装置に関する実施の形態を図面に基づいて説明する。
枠組足場の構成については、従来と変わらない。すなわち、図８に示すように縦部材１ａと横部材１ｂを連結した建枠１を所定間隔で配置して、建枠１の縦部材１ａに突設した上固定ピン４と下固定ピン２とを交さ筋かい３で連結し、横部材１ｂ間に足場板５を掛け渡し、多段に組み上げられている。なお、図８では、交さ筋かい３は、図が見づらくなるので一方側のみ記載しているが、当然両側に設けられている。
【００１７】
そして、墜落防止装置は、図１に示すように、建枠１の縦部材１ａに固設されている下固定ピン２それぞれに取付けられる取付金具１０と、この取付金具１０間に連結される棒状部材８とから構成されている。なお、図１では、省略されているが、棒状部材８の他端側は、当然ながら、隣接する建枠１の下固定ピン２に取付けた取付金具１０に連結されている。
【００１８】
下固定ピン２は縦部材１ａの所定の位置に固設されているので、棒状部材８は、足場板５からは、１５ｃｍ〜４０ｃｍの高さで水平に取付けられる。
なお、墜落防止装置は、枠組足場における外側面には当然設けられるが、建物側の面にも設けてもよい。また、図示してないが、外側面にはメッシュシートが取付けられる。
【００１９】
取付金具１０は、図３に示すように、厚さ２〜４ｍｍのほぼ矩形状の板部材１３に、下固定ピン２の径より若干大きめの嵌合穴１２が形成されるとともに、これから一定の距離離れた位置に棒状部材８を取付けるための取付ピン１１が突設されている。
また、棒状部材８は、鋼管を用いており、両端部を平らに潰して、ここに取付金具１０の取付ピン１１より若干大きめの連結穴８ａを設けている（図２参照）。
【００２０】
取付ピン１１は、図４に示すように、円筒状のピン本体１１ａに、バネ１１ｃで付勢された係止材１１ｂが設けられている。この係止材１１ｂは、ピン本体１１ａの先端側に向かってピン径に近づくように傾斜している。したがって、棒状部材８を取付ける際に連結穴８ａへ挿通するときは、連結穴８ａによって係止材１１ｂがピン本体１１ａ内部へ押し込まれ、棒状部材８が係止材１１ｂを通過すると、バネ１１ｃの付勢によって突出する。これにより、棒状部材８は係止材１１ｂによって取付ピン１１から外れない。
【００２１】
次に、このように構成された枠組足場の墜落防止装置の組み付け、および、取り外しについて図２に基づいて説明する。
枠組足場における交さ筋かい３の取付けは、建枠１の縦部材１ａの上固定ピン４に交さ筋かい３の一端を連結し、他端を隣接する建枠１の縦部材１ａの下固定ピン２に連結する。そして、別の交さ筋かい３を先の交さ筋かい３と交ささせて連結する。なお、交さ筋かい３は、両端部を平らに潰して連結穴３ａが形成された鋼管を使用している。なお、上固定ピン４および下固定ピン２には、ここでは上記取付金具１０に設けた取付ピン１１と同様の外れ止め手段が設けられている。
【００２２】
墜落防止装置の取付けは、交さ筋かい３が取付けられた後に行う。
まず、交さ筋かい３が連結されている建枠１の下固定ピン２に、取付金具１０を取付ける。この作業は、交さ筋かい３を連結する場合と同様であり、交さ筋かい３が連結されていても、下固定ピン２には、取付金具１０が取り付く程度の余裕はあるので、格別の操作は必要としない。
【００２３】
各建枠１の下固定ピン２に取付金具１０を取付けたら、棒状部材８を順次各取付金具１０の取付ピン１１に取付ける。この作業は、棒状部材８の連結穴８ａを取付ピン１１に嵌合させて押し込むだけでよい。これにより、棒状部材８は所定の高さの位置に水平に保持される。
一方、墜落防止装置を取り外すときは、取付ピン１１の係止材１１ｂを押込みつつ棒状部材８を引き出せばよい。
【００２４】
次に、取付金具の別の実施の形態（請求項２）について図５に基づいて説明する。
この取付金具２０は、板部材２３に上記の取付金具１０と同じく嵌合穴１２と取付ピン１１を備えている。取付金具１０との相違は、板部材２３の下部に両側方へ張り出す係止部２３ａが設けられている点である。
この係止部２３ａは、取付金具２０が下固定ピン２に取付けられたときに、縦部材１ａの側方に位置し、取付金具２０が下固定ピン２を中心にして回動するのを縦部材１ａに当接して阻止する。したがって、棒状部材８の取り付けや取り外しの際におけるふらつきがなく作業がし易い。
【００２５】
次に、取付ピンの外れ止め手段が上記とは異なる取付金具の実施の形態（請求項４）について、図６および図７に基づいて説明する。
この取付金具３０は、嵌合穴１２を有する板部材１３に取付ピン３１が突設されている。取付ピン３１は、先端側が二つ割りに形成された柱状のピン本体３１ａと、この二つ割り部にピン３１ｄで回動可能に取付けられた係止材３１ｂとからなり、係止材３１ｂには長孔３１ｃが設けられている。
【００２６】
このように構成されているので、使用する場合は、まず、図６の状態にある係止材３１ｂの上端を持って、長孔３１ｃに沿って引き上げ、係止材３１ｂを回動させて、水平に位置させて奥へ押し込む。これにより、係止材３１ｂは、二つ割りの元部で係止され、図７（ｂ）の状態、すなわち水平に保持される。
そして、棒状部材８は、この状態において取付ける。棒状部材８を取付けたら、係止材３１ｂの先端側を持って、少し引き出して手を離す。これにより、係止材３１ｂは自動的に回動して図７（ｃ）の状態となり、係止材３１ｂが、棒状部材８が取付ピン３１から外れるのを防止する。
【符号の説明】
【００２７】
１  建枠
１ａ  縦部材
１ｂ  横部材
２  下固定ピン
３  交さ筋かい
３ａ  
４  上固定ピン
５  足場板
６  補助手摺り
８  棒状部材
８ａ  連結穴
１０  取付金具
１１  取付ピン
１１ａ  ピン本体
１１ｂ  係止材
１１ｃ  バネ
１２  嵌合穴
１３  板部材
２０  取付金具
２３  板部材
２３ａ  係止部
３０  取付金具
３１  取付ピン
３１ａ  ピン本体
３１ｂ  係止材
３１ｃ  長孔
３１ｄ  ピン
【図１】
0003150973.tif 000003
【図２】
0003150973.tif 000004
【図３】
0003150973.tif 000005
【図４】
0003150973.tif 000006
【図５】
0003150973.tif 000007
【図６】
0003150973.tif 000008
【図７】
0003150973.tif 000009
【図８】
0003150973.tif 000010